(57)【要約】
【課題】耕耘、中耕、畝立て、土寄せなどの作業に際して作業爪の向き替えが容易にできて手間がかからず、草藁の巻付きをも防止できる作業爪取付け装置を提供する。
【解決手段】小径の内管と大径の外管を同一軸線上に配置して内外二重に構成した耕耘筒体の略中央部で、耕耘機の機体中央のミッションケースより突出する左右一対のロータリ駆動軸に連結された中継ぎ管と前記耕耘筒体とを、差込棒と止ピンを用いて着脱自在に連結し、これら耕耘筒体の外管の外周には複数個の爪ホルダを放射状に配列し、爪ホルダに取付ける作業爪の土寄せ方向が左右の耕耘筒体で反対に向くように構成し、また前記ミッションケースに前記耕耘筒体の外管に係合する円環状突起を設けた。
【選択図】図５
0003100733.tif 000002
【実用新案登録請求の範囲】
【請求項１】
耕耘機の機体中央のミッションケースより突出する左右一対のロータリ駆動軸に中継ぎ管をそれぞれ連結し、
小径の内管と大径の外管を内外二重に同一軸線上に配置して両者を一体的に連結してなる左右一対の耕耘筒体を、中継ぎ管の外周に内管を着脱自在に嵌め込むことにより、左右のロータリ駆動軸にそれぞれ連結し、
これら耕耘筒体の外管の外周には複数個の爪ホルダを放射状に配列し、爪ホルダに取付ける作業爪の土寄せ方向が左右の耕耘筒体で反対に向くようにしてなる耕耘機の作業爪取付け装置。
【請求項２】
前記中継ぎ管と前記耕耘筒体の内管を、
当該耕耘筒体の略中央で差込棒と止ピンにより着脱自在に連結してなる請求項１記載の作業爪取付け装置。
【請求項３】
前記ミッションケースに前記耕耘筒体の外管に係合する円環状突起を設けたことを特徴とする請求項１記載の作業爪取付け装置。
【考案の詳細な説明】
【技術分野】
【０００１】
本考案は、耕耘機のロータリ作業装置に関し、ロータリ駆動軸への作業爪の取付け部の構造を改良したものである。
【背景技術】
【０００２】
耕耘、中耕、畝立て、土寄せなどの作業をするときには、それぞれの作業ごとに作業爪の向きを替えたり、作業爪の種類を交換する必要がある。
従来から、外周に複数個の爪ホルダを放射状に設け、それぞれの爪ホルダに作業爪を交換可能に取付けるロータリ作業装置は知られているが、作業爪の交換が煩雑であるという問題があった。
【考案の開示】
【考案が解決しようとする課題】
【０００３】
本考案は、作業爪の付替えに習熟を要せず、付替えが楽であって、また、草藁の巻付きのない作業爪取付け装置を提供することを目的とする。
【課題を解決するための手段】
【０００４】
上記の課題を解決するものとして、第一には、耕耘機の機体中央のミッションケースより突出する左右一対のロータリ駆動軸に中継ぎ管をそれぞれ連結し、小径の内管と大径の外管を内外二重に同一軸線上に配置して両者を一体的に連結してなる左右一対の耕耘筒体を、中継ぎ管の外周に内管を着脱自在に嵌め込むことにより、左右のロータリ駆動軸にそれぞれ連結し、これら耕耘筒体の外管の外周には複数個の爪ホルダを放射状に配列し、爪ホルダに取付ける作業爪の土寄せ方向が左右の耕耘筒体で反対に向くようにして構成した作業爪取付け装置を提供する。
【０００５】
第二には、前記中継ぎ管と前記耕耘筒体の内管を、当該耕耘筒体の略中央で差込棒と止ピンにより着脱自在に連結して構成した作業爪取付け装置を提供する。
【０００６】
第三には、前記ミッションケースに前記耕耘筒体の外管に係合する円環状突起を設けたことを特徴とする作業爪取付け装置を提供する。
【考案の効果】
【０００７】
第一の考案によれば、左右両方向への取付けが可能な耕耘筒体が実現でき、左右の耕耘筒体を交換して向きを替えずに取付ければ作業爪の向きを替えることができるため作業爪の付替えに伴う煩雑さを軽減できる。
【０００８】
第二の考案によれば、耕耘筒体の中継ぎ管への取付けに工具を必要とせず、耕耘筒体の着脱が迅速に、また簡易に行える。
【０００９】
第三の考案によれば、軸受部への草藁の巻付きを防止することができ、効率よく作業が行える。
【考案を実施するための最良の形態】
【００１０】
図１は作業爪取付け装置を構成する中継ぎ管の斜視図である。図２は同じく中継ぎ管の軸方向正面図である。図３は同じく耕耘筒体の側面図である。図４は同じく耕耘筒体の軸方向正面図である。図５は作業爪取付け装置の組立図である。図６、及び図７はそれぞれ、
耕耘作業時、及び土寄せ作業時の作業爪取付け向きの模式図である
【００１１】
図１、及び図２において、中継ぎ管１０の内壁にはスプライン溝１１が設けられており、中継ぎ管１０とロータリ駆動軸４とはスプライン嵌め合いになっている。中継ぎ管１０のロータリ駆動軸との連結側にはボルト穴が設けられており、ロータリ駆動軸４の外周を中継ぎ管１０のスプライン溝に嵌め込んで、ボルト１２により固定する。他端側には、中継ぎ管１０の中心軸を通る中継ぎ管貫通穴１３が複数個設けられている。
【００１２】
図３、及び図４において、前記中継ぎ管１０に取付けられる耕耘筒体２０は、大径の外管２１と小径の内管２２とを同一軸線上に配置して構成されている。内管２２は外管２１の略中央部に取付けられており、中心軸線を通る外管貫通穴２４と内管貫通穴２３が中心軸線方向略中央部に設けられている。
外管２１の外周には複数個の爪ホルダ２６が放射状に設けられており、この爪ホルダ２６に作業爪２７を固定する。前記外管貫通穴２４は爪ホルダにかからないように設けられている。
外管２１の内壁に二枚の矩形板２５を、その板面と中心軸線方向とを略垂直に固設する。中心軸線と同軸に穴を設け、その穴に内管２２を挿通して、外管貫通穴２４と、内管貫通穴２３が略同軸になるように内管２２を連結する。
【００１３】
図５において、ロータリ駆動軸４にボルト１２により固定された中継ぎ管１０の外周に前記内管２２を嵌め込んで中継ぎ管貫通穴１３の内の一つと内管貫通穴２３を合わせ、外管貫通穴２４から差込棒３０を導入して内管貫通穴２３と前記中継ぎ棒貫通穴１３に挿通し、差込棒３０に設けられたピン孔３１に止ピン３２を通して耕耘筒体２０をロータリ駆動軸４に連結する。
ロータリ作業装置１のミッションケース２には円環状突起５が設けられており、前記外管２１がその突起に係合する。
【００１４】
以上のように構成したことで次に述べるような効果を奏する。
図６、及び図７において、作業爪２７の向き替えは左右の耕耘筒体２０Ａ・２０Ｂを取換えて向きを替えずに取付けるだけでよく簡便であり、労力の軽減がはかれる。
耕耘筒体２０の着脱は、差込棒３０と止ピン３２によって行われるため、工具を用いることなく迅速に、また簡易に着脱が行える。
大径の外管２１を用いているため、草藁が耕耘筒体２０に巻付くことがなく、また、ロータリ作業装置１のミッションケース２に設けた円環状突起５に前記外管２１を係合させることで、軸受部３への草藁の巻付きも防ぐことができる。
【図面の簡単な説明】
【００１５】
【図１】中継ぎ管の斜視図
【図２】中継ぎ管の軸方向正面図
【図３】耕耘筒体の側面図
【図４】耕耘筒体の軸方向正面図
【図５】ロータリ作業装置組立図
【図６】耕耘作業時の作業爪取付け向き模式図
【図７】土寄せ作業時の作業爪取付け向き模式図
【符号の説明】
【００１６】
１    ロータリ作業装置
２    ミッションケース
３    軸受部
４    ロータリ駆動軸
５    円環状突起
１０  中継ぎ管
１１  スプライン溝
１２  ボルト
１３  中継ぎ管貫通穴
２０  耕耘筒体
２１  外管
２２  内管
２３  内管貫通穴
２４  外管貫通穴
２５  矩形板
２６  爪ホルダ
２７  作業爪
３０  差込棒
３１  ピン孔
３２  止ピン
【図１】
0003100733.tif 000003
【図２】
0003100733.tif 000004
【図３】
0003100733.tif 000005
【図４】
0003100733.tif 000006
【図５】
0003100733.tif 000007
【図６】
0003100733.tif 000008
【図７】
0003100733.tif 000009